(57)【特許請求の範囲】
【請求項１】
少なくとも印字面を備える可撓性の薄型シート媒体をカードプリンタでの印字対象とすべく当該薄型シート媒体を装着させて当該カードプリンタ内で搬送されるカードプリンタ用アタッチメントであって、
前記薄型シート媒体を載置させる当該薄型シート媒体と略同大で所定厚さの硬質性の基部と、
前記基部の、前記カードプリンタの搬送方向の先端の辺を含む対向する辺にそれぞれ設けられ、前記薄型シート媒体の二辺を嵌合保持する対向嵌合溝をそれぞれ形成させる対向嵌合部と、
前記基部における前記対向嵌合部の設けられていない一辺を前記薄型シート媒体の挿入辺として当該挿入辺と対向する辺の所定部分に長さが当該辺より短く設けられ、当該薄型シート媒体の挿入先端の所定部分を嵌合保持する先端嵌合溝を形成させる所定数の先端嵌合部と、
を有することを特徴とするカードプリンタ用アタッチメント。
【請求項２】
請求項１記載のカードプリンタ用アタッチメントであって、前記基部の前記先端嵌合部が設けられる辺における当該先端嵌合部以外の部分に、嵌合保持される前記薄型シート媒体を位置規制させる所定数の挿入先端当接部が形成されることを特徴とするカードプリンタ用アタッチメント。
【請求項３】
請求項１又は２記載のカードプリンタ用アタッチメントであって、少なくとも前記基部が、前記薄型シート媒体に形成された情報を視認可能な透明度の部材で形成されることを特徴とするカードプリンタ用アタッチメント。
【請求項４】
少なくとも印字面を備える可撓性の薄型シート媒体を載置させる硬質性の基部を有し、当該基部のカードプリンタの搬送方向の先端の辺を含む対向する辺のそれぞれに当該薄型シート媒体の対応する辺を嵌合保持する対向嵌合溝をそれぞれ形成させる対向嵌合部が設けられると共に、当該基部における上記対向嵌合部の設けられていない一辺を薄型シート媒体の挿入辺とし、当該挿入辺と対向する辺の所定部分に当該薄型シート媒体の挿入先端の所定部分を嵌合保持する先端嵌合溝を形成させる所定数の先端嵌合部が長さを当該辺より短く設けられるカードプリンタ用アタッチメントに、当該薄型シート媒体を嵌合保持させたアタッチメント一体カードを用いて当該薄型シート媒体の印字領域にカードプリンタにより印字させるカードプリンタ用アタッチメントを用いた印字方法であって、
前記アタッチメント一体カードが、前記薄型シート媒体を嵌合保持した前記対向嵌合部の一方を前記カードプリンタに対する先端として供給されるステップと、
前記アタッチメント一体カードにおける前記薄型シート媒体の少なくとも印字面を撮像させるステップと、
前記アタッチメント一体カードにおける前記薄型シート媒体の撮像で確認された印字面に所定情報を印字させるステップと、
印字後に前記印字された所定情報を撮像するステップと、
を含むことを特徴とするカードプリンタ用アタッチメントを用いた印字方法。
【発明の詳細な説明】
【技術分野】
【０００１】
本発明は、可撓性の薄型シート媒体に対してカードプリンタで印字するためのカードプリンタ用アタッチメント及び当該アタッチメントを用いて印字する印字方法に関する。
【背景技術】
【０００２】
近年、一般に使用されているカードは、その使用形態に応じて、紙媒体のカードからＩＣチップを備える接触型、非接触型のＩＣカードまで種々存在する。一方、カードには所持者の情報が表示記載され、この情報が変更された場合には追加情報を含む変更情報を裏面にプリンタで印字することも行われている。そのため、可撓性の薄型シート媒体に対しても確実に印字できることが望まれる。
【０００３】
従来、既存のカードに追加情報などを印刷するものとして特許文献１に記載されているゲーム装置が知られている。特許文献１には、ゲームに使用されるカードとしてキャラクタやその属性などの印刷領域と後に印刷される追加印刷領域が設けられたものであり、当該カードが挿入口より挿入され、最初に鑑別装置で不正情報が印刷されていないかを鑑別し、真正のときにＣＣＤでカード全体を撮像し、印刷装置で追加印刷領域に追加情報を印刷する構成の装置が記載されている。
【先行技術文献】
【特許文献】
【０００４】
【特許文献１】特開２００９−０３４４１２号公報
【発明の概要】
【発明が解決しようとする課題】
【０００５】
ところで、印字を対象とするカードは、プリンタ内での搬送に支障を来たさないように、硬質部材で構成し、また、可撓性の薄型シート媒体の一面（印字面ではない面）をラミネートなどにより硬質化させ、さらには可撓性の薄型シート媒体の両面をラミネートして印字面となる面に紙類などを貼り付けたものが一般的であり、上記特許文献１に使用されるカードも同様である。しかしながら、カードを硬質部材で構成し、薄型シート媒体にラミネート処理などを施すことは、特に大量のカードを発行する場合などでコスト高を招くことになるという問題がある。
【０００６】
また、硬質性のカードに印字するカードプリンタで薄型のカードを印字しようとすると、厚さの差で印字面と印字ヘッドとに距離を有することとなって確実に印字することができず、当該印字ヘッドを厚さに応じて上下動させる機構を設けることは大型化を招くと共に、コスト高になるという問題ある。
【０００７】
そこで、本発明は上記課題に鑑みなされたもので、印字を対象とする薄型シート媒体に対して印字時での搬送支障を回避し、確実な印字を可能とするカードプリンタ用アタッチメント及びこのアタッチメントを用いた印字方法を提供することを目的とする。
【課題を解決するための手段】
【０００８】
上記課題を解決するために、請求項１の発明では、少なくとも印字面を備える可撓性の薄型シート媒体をカードプリンタでの印字対象とすべく当該薄型シート媒体を装着させて当該カードプリンタ内で搬送されるカードプリンタ用アタッチメントであって、前記薄型シート媒体を載置させる当該薄型シート媒体と略同大で所定厚さの硬質性の基部と、前記基部の、前記カードプリンタの搬送方向の先端の辺を含む対向する辺にそれぞれ設けられ、前記薄型シート媒体の二辺を嵌合保持する対向嵌合溝をそれぞれ形成させる対向嵌合部と、前記基部における前記対向嵌合部の設けられていない一辺を前記薄型シート媒体の挿入辺として当該挿入辺と対向する辺の所定部分に長さが当該辺より短く設けられ、当該薄型シート媒体の挿入先端の所定部分を嵌合保持する先端嵌合溝を形成させる所定数の先端嵌合部と、を有する構成とする。
【０００９】
請求項２，３の発明では、「前記基部の前記先端嵌合部が設けられる辺における当該先端嵌合部以外の部分に、嵌合保持される前記薄型シート媒体を位置規制させる所定数の挿入先端当接部が形成される」構成とし、
「少なくとも前記基部が、前記薄型シート媒体に形成された情報を視認可能な透明度の部材で形成される」構成とする。
【００１０】
請求項４の発明では、少なくとも印字面を備える可撓性の薄型シート媒体を載置させる硬質性の基部を有し、当該基部のカードプリンタの搬送方向の先端の辺を含む対向する辺のそれぞれに当該薄型シート媒体の対応する辺を嵌合保持する対向嵌合溝をそれぞれ形成させる対向嵌合部が設けられると共に、当該基部における上記対向嵌合部の設けられていない一辺を薄型シート媒体の挿入辺とし、当該挿入辺と対向する辺の所定部分に当該薄型シート媒体の挿入先端の所定部分を嵌合保持する先端嵌合溝を形成させる所定数の先端嵌合部が長さを当該辺より短く設けられるカードプリンタ用アタッチメントに、当該薄型シート媒体を嵌合保持させたアタッチメント一体カードを用いて当該薄型シート媒体の印字領域にカードプリンタにより印字させるカードプリンタ用アタッチメントを用いた印字方法であって、前記アタッチメント一体カードが、前記薄型シート媒体を嵌合保持した前記対向嵌合部の一方を前記カードプリンタに対する先端として供給されるステップと、前記アタッチメント一体カードにおける前記薄型シート媒体の少なくとも印字面を撮像させるステップと、前記アタッチメント一体カードにおける前記薄型シート媒体の撮像で確認された印字面に所定情報を印字させるステップと、印字後に前記印字された所定情報を撮像するステップと、を含む構成とする。
【発明の効果】
【００１１】
請求項１の発明によれば、少なくとも印字面を備える可撓性の薄型シート媒体を装着させて当該カードプリンタ内で搬送され、当該薄型シート媒体と略同大で所定厚さの硬質性の基部を有し、当該基部の、カードプリンタの搬送方向の先端の辺を含む対向する辺に薄型シート媒体の二辺を嵌合保持する対向嵌合溝をそれぞれ形成させる対向嵌合部がそれぞれ設けられると共に、当該基部における対向嵌合部の設けられていない一辺を薄型シート媒体の挿入辺として当該挿入辺と対向する辺の所定部分に当該薄型シート媒体の挿入先端の所定部分を嵌合保持する先端嵌合溝を形成させる所定数の先端嵌合部が長さが当該辺より短く設けられる構成とすることにより、対向嵌合部及び先端嵌合部に薄型シート媒体の対応する辺を嵌合保持させてカードプリンタで印字する際に、搬送に対して薄型シート媒体の撓みが防止されて搬送支障を回避させることができ、また、基部の厚さを設定することにより通常の硬質性のカードに対応しているカードプリンタで印字ヘッドを位置調整することなく印字が可能となって確実に印字させることができるものである。
【００１２】
請求項２の発明によれば、部の前記先端嵌合部が設けられる辺における当該先端嵌合部以外の部分に、嵌合保持される前記薄型シート媒体を位置規制させる所定数の挿入先端当接部を形成する構成とすることにより、薄型シート媒体を挿入する際の不完全な挿入や傾き装着を容易に防止させることができ、装着作業の効率化をはかることができるものである。
【００１３】
請求項３の発明によれば、少なくとも基部を、薄型シート媒体に形成された情報を視認可能な透明度の部材で形成することにより、印字面の反対面に情報が形成された薄型シート媒体に対して当該情報を撮像することが可能となって印字内容の確認に供することができるものである。
【００１４】
請求項４の発明によれば、カードプリンタ用アタッチメントのカードプリンタの搬送方向の先端の辺を含む対向する辺のそれぞれに設けられた対向嵌合部及び長さが設けられる辺より短い先端嵌合部で形成される対向嵌合溝及び先端嵌合溝に薄型シート媒体の対応する辺を嵌合保持させたアタッチメント一体カードが、当該アタッチメント一体カードの薄型シート媒体を嵌合保持した対向嵌合部の一方をカードプリンタに対する先端として供給され、アタッチメント一体カードにおける薄型シート媒体の少なくとも印字面を撮像させ、アタッチメント一体カードにおける薄型シート媒体の撮像で確認された印字面に所定情報を印字させ、印字後に印字された所定情報を撮像させる印字方法の構成とすることにより、カードプリンタ用アタッチメントを用いて薄型シート媒体の搬送支障を回避して印字させることができ、また、当該カードプリンタ用アタッチメントの基部の厚さを適宜設定することで通常の硬質性のカードに対応しているカードプリンタであっても印字ヘッドの位置を調整することなく確実に印字させることができるものである。
【図面の簡単な説明】
【００１５】
【図１】本発明に係るカードプリンタ用アタッチメントにおける第１実施形態の構成図である。
【図２】図１のカードプリンタ用アタッチメントの製造に関する説明図である。
【図３】図１のカードプリンタ用アタッチメントを使用する薄型シート媒体の説明図である。
【図４】図１のカードプリンタ用アタッチメントへの薄型シート媒体の装着形態の説明図である。
【図５】図１のカードプリンタ用アタッチメントを使用して印字するカードプリンタの一例のブロック構成図である。
【図６】図１のカードプリンタ用アタッチメントの他の構成例の説明図である。
【図７】本発明に係るカードプリンタ用アタッチメントにおける第２実施形態の構成図である。
【発明を実施するための形態】
【００１６】
以下、本発明の実施形態を図により説明する。
図１に本発明に係るカードプリンタ用アタッチメントにおける第１実施形態の構成図を示すと共に、図２に図１のカードプリンタ用アタッチメントの製造に関する説明図を示す。図１において、図１（Ａ）はカードプリンタ用アタッチメントの外観図、図１（Ｂ）はカードプリンタ用アタッチメントの平面図、図１（Ｃ）はカードプリンタ用アタッチメントの底面図、図１（Ｄ）は図１（Ａ）のＡ−Ａ断面図、図１（Ｅ）は図１（Ａ）のＢ−Ｂ断面図、図１（Ｆ）は図１（Ａ）のＣ−Ｃ断面図、図１（Ｇ）は図１（Ａ）のＤ−Ｄ断面図を示したものであるが、各断面図は構造を理解しやすいように寸法を無視している。
【００１７】
図１（Ａ）〜（Ｇ）において、カードプリンタ用アタッチメント１１は、後述する図３の可撓性の薄型シート媒体を載置させる適宜設定した厚さとした長方矩形状で硬質性の基部１２と、当該基部１２における所定の辺に設けられ、薄型シート媒体の対応する辺を嵌合保持する第１嵌合溝１５Ａ、第２嵌合溝１５Ｂ，第３嵌合溝１５Ｃを形成させる第１嵌合部材１３Ａ、第２嵌合部材１３Ｂ、第３嵌合部材１３Ｃとで構成される。第１嵌合部材１３Ａ、第２嵌合部材１３Ｂ、第３嵌合部材１３Ｃのそれぞれは、後に装着する薄型シート媒体の印字面における印字領域に掛からない長さで形成される。なお、上記硬質性に関しては、撓ませた場合に手を離すと元に戻るものでも、撓み性がないものでも構わない。
【００１８】
詳述すると、上記基部１２における短辺側の対向する両方の辺の略全域に、嵌合溝を形成させるための第１スペーサ１４Ａ及び第２スペーサ１４Ｂが設けられ、当該第１スペーサ１４Ａ及び第２スペーサ１４Ｂ上に、これらより長い第１嵌合部材１３Ａ及び第２嵌合部材１３Ｂがそれぞれ設けられる。例えば、第１スペーサ１４Ａ及び第２スペーサ１４Ｂの長さを２．１ｍｍとした場合に、第１嵌合部材１３Ａ及び第２嵌合部材１３Ｂの長さを５．５ｍｍとする。また、第１嵌合部材１３Ａ及び第２嵌合部材１３Ｂの両端をＲ形状として丸みを帯びさせている。特に、薄型シート媒体の挿入側となる端部側をＲ形状とすることで挿入し易くする効果がある。
【００１９】
当該基部１２上において、第１嵌合部材１３Ａ及び第１スペーサ１４Ａにより第１嵌合溝１５Ａが形成され、第２嵌合部材１３Ｂ及び第２スペーサ１４Ｂにより第２嵌合溝１５Ｂが形成される。第１嵌合溝１５Ａと第２嵌合溝１５Ｂとにより対向嵌合溝が構成され、上記第１嵌合部材１３Ａ、第１スペーサ１４Ａ及び第１嵌合溝１５Ａと、第２嵌合部材１３Ｂ、第２スペーサ１４Ｂ及び第２嵌合溝１５Ｂとにより対向嵌合部が構成される。
【００２０】
一方、基部１２における上記対向嵌合部の設けられていない長辺側の一辺を薄型シート媒体の挿入辺１６とし、当該挿入辺１６と対向する辺の所定部分、例えば略中央部分に第３スペーサ１４Ｃが当該辺より短く設けられ、当該第３スペーサ１４Ｃ上に、辺方向の長さが当該第３スペーサ１４Ｃと同じであり、内側方向の長さが当該第３スペーサ１４Ｃより長い第３嵌合部材１３Ｃが設けられる。当該第３嵌合部材１３Ｃの上記内側方向の長さは、装着する後述の薄型シート媒体の印字面における印字領域に掛からない長さで設定される。
【００２１】
当該基部１２上において第３嵌合部材１３Ｃ及び第３スペーサ１４Ｃにより第３嵌合溝１５Ｃが形成されるもので、第３嵌合溝１５Ｃが薄型シート媒体の挿入先端の一部分を嵌合保持する先端嵌合溝となり、第３嵌合部材１３Ｃ、第３スペーサ１４Ｃ及び第３嵌合溝１５Ｃにより先端嵌合部が構成される。
【００２２】
上記基部１２は、図３に示す薄型シート媒体が嵌合保持されたときに、薄型シート媒体の当該基部１２に接する面に形成されているシート情報が視認可能な透明度で形成されるもので、ここでの透明度とは視認可能な程度としての意味合いである。具体的には、基部１２は、例えば厚さ０．５ｍｍのポリエチレンテレフタレート（ＰＥＴ）や塩化ビニルなどの樹脂部材により硬質かつ透明又は半透明で形成される。当該基部１２をこのように形成することは、後にカードプリンタで印字する際に上記シート情報などを撮像するためである（図５で説明する）。
【００２３】
また、上記第１嵌合部材１３Ａ、第２嵌合部材１３Ｂ及び第３嵌合部材１３Ｃは、例えば厚さ０．１ｍｍの上記基部１２と同じ部材で形成される。上記第１スペーサ１４Ａ、第２スペーサ１４Ｂ及び第３スペーサ１４Ｃは、例えば透明接着剤により、例えば厚さ０．２５ｍｍで形成される。
【００２４】
なお、上記第１スペーサ１４Ａ、第２スペーサ１４Ｂ及び第３スペーサ１４Ｃの厚さは各嵌合溝の高さとなることから、薄型シート媒体２１の厚みによって設定されるものであるが、例えば厚みが０．１２ｍｍ〜０．１４ｍｍの薄型シート媒体２１であっても、当該薄型シート媒体２１では撓みやカール、シート作製におけるミシン線分離によるエッジ変形の現象が生じており、上記０．２５ｍｍで形成しても第１嵌合溝１５Ａ、第２嵌合溝１５Ｂ及び第３嵌合溝１５Ｃで確実に嵌合保持できるものである。
【００２５】
すなわち、基部１２及び第１嵌合部材１３Ａ、第２嵌合部材１３Ｂ及び第３嵌合部材１３Ｃの全体の厚さを、嵌合保持した薄型シート媒体２１を含めた厚さが硬質性のカード（例えば運転免許証）と同等の厚さとなるようにして形成することにより、当該カードに対応しているカードプリンタにおいて印字ヘッドを位置調整することなく印字することできるものである。
【００２６】
そこで、カードプリンタ用アタッチメント１１の作製について説明すると、まず、図２（Ａ）に示すように、基部１２上の短辺側の対向する辺の全域に第１スペーサ１４Ａ及び第２スペーサ１４Ｂとなる透明接着剤を塗布すると共に、当該基部１２上の長辺側の略中央部分に透明接着剤を塗布する。
【００２７】
そして、上記透明接着剤が固化する前に、図２（Ｂ）に示すように、第１スペーサ１４Ａとなる透明接着剤上に第１嵌合部材１３Ａを接着させ、第２スペーサ１４Ｂとなる透明接着剤上に第２嵌合部材１３Ｂを接着させると共に、第３スペーサ１４Ｃとなる透明接着剤上に第３嵌合部材１３Ｃを接着させて乾燥固化させることでそれぞれに第１嵌合溝１５Ａ、第２嵌合溝１５Ｂ及び第３嵌合部材１３Ｃが形成されるものである。なお、上記透明接着剤に紫外線硬化型を用いることで速やかに固化させることができるものである。図２（Ａ）、（Ｂ）における端面図は厚み寸法を無視している。
【００２８】
なお、この実施形態では、第１嵌合溝１５Ａ、第２嵌合溝１５Ｂ及び第３嵌合溝１５Ｃを、第１スペーサ１４Ａ、第２スペーサ１４Ｂ及び第３スペーサ１４Ｃと、第１嵌合部材１３Ａ、第２嵌合部材１３Ｂ及び第３嵌合部材１３Ｃとにより形成させた場合を示したが、基部１２に一体的に延長部を設け、当該延長部を折り曲げて形成してもよい。
【００２９】
ここで、図３に図１のカードプリンタ用アタッチメントを使用する薄型シート媒体の説明図を示すと共に、図４に図１のカードプリンタ用アタッチメントへの薄型シート媒体の装着形態の説明図を示す。薄型シート媒体２１は、例えば短辺約５４ｍｍ、長辺約８５ｍｍ（およそ運転免許証と同大）の大きさとした、例えば紙製のものであり、図３（Ａ）に示すように、一方面が情報面２２Ａであり、所有者の氏名等の情報が表記されている。一方、図３（Ｂ）に示すように、薄型シート媒体２１の他方面が印字領域となる印字面２２Ｂであり、例えば情報面２２Ａに表記された情報に変更があった場合に、変更情報を印字面２２Ｂに印字させるものである。
【００３０】
そこで、図４（Ａ）に示すように、薄型シート媒体２１を、印字面２２Ｂを上面（基部１２と接しない面）にして、両方の短辺部分をカードプリンタ用アタッチメント１１の第１嵌合部材１３Ａ及び第２嵌合部材１３Ｂで形成される第１嵌合溝１５Ａ及び第２嵌合溝１５Ｂに挿入辺１６より差し込む。
【００３１】
そして、図４（Ｂ）に示すように、差し込んだ薄型シート媒体２１の挿入先端辺となる長辺の略中央部分を第３嵌合部材１３Ｃで形成される第３嵌合溝１５Ｃに差し込むことで当該薄型シート媒体２１が基部１２上で第１嵌合溝１５Ａ、第２嵌合溝１５Ｂ及び第３嵌合溝１５Ｃにより嵌合保持されることとなり、アタッチメント一体カード２３となる。このアタッチメント一体カード２３は、例えば第１嵌合部１３Ａ側を先端としてカードプリンタに供給させることとなる。
【００３２】
続いて、図５に、図１のカードプリンタ用アタッチメントを使用して印字するカードプリンタの一例のブロック構成図を示す。図５において、カードプリンタ３０は、カード供給側より概略して、順次、カード供給部３１、読取処理手段であるカード読取部３２、撮像処理手段である撮像部３３及び印字処理手段である印字部３４を備えて構成される。
【００３３】
上記カード読取部３２は、印字処理等の対象がＩＣチップを備えるカード類に対して通信によりカード情報を読み取って真贋判定行う場合の要素であり、薄型シート媒体２１（アタッチメント一体カード２３）に対しては、ＩＣチップを備える場合には機能し、ＩＣチップを備えない薄型シート媒体２１（アタッチメント一体カード２３）に対しては機能させない。
【００３４】
上記撮像部３３は、例えばアタッチメント一体カード２３における薄型シート媒体２１の情報面２２Ａを撮像する第１ラインセンサと、印字面２２Ｂを撮像する第２ラインセンサとを上下対向して備えるスキャナである。なお、処理内容に応じて一方のスキャンデータしか使用しない場合もあるが、常に両方を撮像することとしてもよく、当該処理内容に応じて一方のラインセンサだけによる撮像指示でもよい。
【００３５】
上記印字部３４は、印字ヘッド４１及び熱転写フィルムユニット４２を含んで構成され、当該印字ヘッド４１に熱転写フィルムユニット４２より供給される熱転写フィルム４３が懸架され、印字位置に搬送されてきた薄型シート媒体２１の印字面２２Ｂ上に図示しない制御部から印字ヘッド４１への印字制御信号に応じて印字する。
【００３６】
すなわち、上記カードプリンタ３０は、カードプリンタ用アタッチメント１１に薄型シート媒体２１が装着されたアタッチメント一体カード２３が、薄型シート媒体２１を嵌合保持した上記対向嵌合部（第１嵌合部材１３Ａ側又は第２嵌合部材１３Ｂ側）の一方を当該プリンタに対する先端として供給される。供給されたアタッチメント一体カード２３は、ＩＣチップを備える場合にはカード読取部３２で真贋が判定され（当該カード読取部３２による真贋判定は印字工程の最後でもよい）、撮像部３３に供給される。
【００３７】
撮像部３３においてアタッチメント一体カード２３における薄型シート媒体２１の少なくとも印字面２２Ｂを撮像することにより、印字面２２が印字部３４側に位置されていることが確認され、印字部３４においてアタッチメント一体カード２３における薄型シート媒体２１の撮像で確認された印字面２２Ｂに所定情報を確実に印字させるものである。また、印字処理を行った後に、再度印字面２２Ｂを撮像させることで印字内容が確実に印字されたかを確認させることができるものである。
【００３８】
このように、カードプリンタ用アタッチメント１１を用いて薄型シート媒体２１の搬送支障を回避して印字させることができ、また、当該カードプリンタ用アタッチメント１１の基部１２の厚さを適宜設定することで通常の硬質性のカードに対応しているカードプリンタであっても印字ヘッドの位置を調整することなく確実に印字させることができるものである。
【００３９】
次に、図６に、図１のカードプリンタ用アタッチメントの他の構成例の説明図を示す。図６（Ａ）は、図１に示すカードプリンタ用アタッチメント１１における第３嵌合部材１３Ｃの形状をカード挿入側に対して半円形状に形成したもので、この形状に応じて第３スペーサ１４Ｃを設けて第３嵌合溝１５Ｃを形成させたものである。当該第３嵌合部材１３Ｃを上記形状とすることで、挿入される薄型カード媒体２１の挿入先端側を第３嵌合溝１５Ｃに対してより確実に嵌合保持させることができるものである。なお、上記第３嵌合部材１３Ｃを上記半円形の形状でなくとも、例えば三角形状や台形形状のようにカード挿入側に対して幅狭の形状とすれば同様の効果をそうすることができる。
【００４０】
図６（Ｂ）は、図１に示すカードプリンタ用アタッチメント１１における第３嵌合部材１３Ｃを、例えば等間隔に２つ設けて第３嵌合部材１３Ｃ−１，１３Ｃ−２とし、これに応じて第３スペーサ１４Ｃ−１，１４Ｃ−２を設け、第３嵌合溝１５Ｃ−１，１５Ｃ−２を形成させたものである。これによって、当該カードプリンタ用アタッチメント１１に対して薄型カード媒体２１を容易に正確な位置に装着させることができるものである。なお、第３嵌合部材１３Ｃを、上記効果を発揮できる常識的な個数で適宜設ければよい。また、第３嵌合部材１３Ｃを図６（Ａ）の形状で適用してもよい。
【００４１】
図６（Ｃ）は、図１に示すカードプリンタ用アタッチメント１１における対向嵌合部を構成する第１嵌合部材１３Ａ及び第２嵌合部材１３Ｂを、上記薄型カード媒体２１を挿入させる挿入辺１６まで設けずに、それぞれ嵌合部非形成領域１６Ａ，１６Ｂを確保させた構成である。当該嵌合部非形成領域１５Ａ，１６Ｂを設けることにより、第１嵌合溝１５Ａ及び第２嵌合溝１５Ｂに対して薄型カード媒体２１をより容易に挿入させることができるものである。なお、図６（Ｃ）のカードプリンタ用アタッチメント１１に図６（Ａ）、（Ｂ）を適用させても同様である。
【００４２】
次に、図７に、本発明に係るカードプリンタ用アタッチメントにおける第２実施形態の構成図を示す。図７（Ａ）は図１のカードプリンタ用アタッチメント１１に対応させたものであり、図７（Ｂ）は図６（Ｃ）のカードプリンタ用アタッチメント１１に対応させたものである。
【００４３】
図７（Ａ）、（Ｂ）に示すカードプリンタ用アタッチメント１１は、上記第３嵌合部材１３Ｃ及び第３スペーサ１４Ｃで形成される第３嵌合溝１５Ｃの両側の全域に、当該第３スペーサ１４Ｃと同長であり、好ましくは同じ厚さの挿入先端当接部１７Ａ，１７Ｂを設けたものである。なお、第３嵌合溝１５Ｃの両側であって、全域ではなく、部分的に所定数設けてもよい。
【００４４】
上記挿入先端当接部１７Ａ，１７Ｂは、機能的には図６（Ｂ）と同様に、挿入される薄型カード媒体２１を位置決めさせる部材として、カードプリンタ用アタッチメント１１に対して薄型カード媒体２１を容易に正確な位置に装着させることができるものであるが、当該挿入先端当接部１７Ａ，１７Ｂを第３スペーサ１４Ｃ（第１スペーサ１４Ａ、第２スペーサ１４Ｂも同様）と同じ部材の接着剤で形成させることで、別途に部材を用意する必要がなく安価とすることができるもので、特に大量生産する場合に有効となるものである。なお、図６（Ａ）に示す第３嵌合部材１３Ｃ（第３嵌合溝１５Ｃ）の形状等を適用できることはもちろんである。
【００４５】
このように、薄型シート媒体２１を挿入する際の不完全な挿入や傾き装着を容易に防止させることができ、装着作業の効率化をはかることができるものである。
【産業上の利用可能性】
【００４６】
本発明のカードプリンタ用アタッチメント及びそのアタッチメント使用する印字方法は、薄型シート媒体に印字を行う業態の産業分野利用可能である。
【符号の説明】
【００４７】
１１              カードプリンタ用アタッチメント
１２              基部
１３Ａ            第１嵌合部材
１３Ｂ            第２嵌合部材
１３Ｃ            第３嵌合部材
１４Ａ            第１スペーサ
１４Ｂ            第２スペーサ
１４Ｃ            第３スペーサ
１５Ａ            第１嵌合溝
１５Ｂ            第２嵌合溝
１５Ｃ            第３嵌合溝
１６              挿入辺
１６Ａ，１６Ｂ    嵌合部非形成領域
１７Ａ，１７Ｂ    挿入先端当接部
２１              薄型シート媒体
２２Ａ            情報面
２２Ｂ            印字面
２３              アタッチメント一体カード
３０              カードプリンタ
３１              カード供給部
３２              カード読取部
３３              撮像部
３４              印字部
４１              印字ヘッド
４２              熱転写フィルムユニット
４３              熱転写フィルム
【図１】
0006612062.tif 000002
【図２】
0006612062.tif 000003
【図３】
0006612062.tif 000004
【図４】
0006612062.tif 000005
【図５】
0006612062.tif 000006
【図６】
0006612062.tif 000007
【図７】
0006612062.tif 000008